(57)【要約】  基地局（ＢＳ）からの所定の参照信号の送信に使用される第１のリソースを示すサウンディング基準記号（ＳＲＳ）構成情報を受信する受信機を含むユーザ端末（ＵＥ）が開示される。ＵＥは、第１のリソースである第２のリソースを使用してＳＲＳを送信する送信機を含む。ＵＥは、所定の参照信号に基づいてＳＲＳに適用されるプリコーダを決定するプロセッサをさらに含む。送信機は、決定されたプリコーダを使用してプリコードされたＳＲＳを送信する。所定の参照信号は、チャネル状態情報参照信号（ＣＳＩ−ＲＳ）、ＳＲＳ、又は同期信号ブロック（ＳＳＢ）／物理ブロードキャストチャネル（ＰＢＣＨ）である。
2020507991.tif 000002
【特許請求の範囲】
【請求項１】
基地局（ＢＳ）からの所定の参照信号の送信に使用される第１のリソースを示すサウンディング参照信号（ＳＲＳ）構成情報を受信する受信機と、
前記第１のリソースである第２のリソースを使用してＳＲＳを送信する送信機と、
を具備する、ユーザ端末（ＵＥ）。
【請求項２】
前記所定の参照信号に基づいて、前記ＳＲＳに適用されるプリコーダを決定するプロセッサをさらに具備し、
前記送信機は、前記決定されたプリコーダを使用してプリコーディングされた前記ＳＲＳを送信する、
請求項１に記載のＵＥ。
【請求項３】
前記所定の参照信号は、チャネル状態情報参照信号（ＣＳＩ−ＲＳ）である、
請求項１に記載のＵＥ。
【請求項４】
前記所定の参照信号は別のＳＲＳである、
請求項１に記載のＵＥ。
【請求項５】
前記所定の参照信号は、同期信号ブロック（ＳＳＢ）／物理ブロードキャストチャネル（ＰＢＣＨ）である、
請求項１に記載のＵＥ。
【請求項６】
前記ＳＲＳ構成情報は、上位レイヤシグナリングを使用して前記ＵＥに送信される、
請求項１に記載のＵＥ。
【請求項７】
無線通信システムにおけるサウンディング参照信号（ＳＲＳ）送信方法であって、
基地局（ＢＳ）からの所定の参照信号の送信に使用される第１のリソースを示すＳＲＳ構成情報を、ユーザ端末（ＵＥ）で受信することと、
前記ＵＥから前記ＢＳに、前記第１のリソースである第２のリソースを使用して前記ＳＲＳを送信することと、
を具備する、方法。
【請求項８】
前記ＵＥで、前記所定の参照信号に基づいて、前記ＳＲＳに適用されるプリコーダを決定し、
前記送信することは、前記決定されたプリコーダを使用してプリコーディングされた前記ＳＲＳを送信する、
請求項７に記載の方法
【請求項９】
前記所定の参照信号は、チャネル状態情報参照信号（ＣＳＩ−ＲＳ）である、
請求項７に記載の方法。
【請求項１０】
前記所定の参照信号は、別のＳＲＳである、
請求項７に記載の方法。
【請求項１１】
前記所定の参照信号は、同期信号ブロック（ＳＳＢ）／物理ブロードキャストチャネル（ＰＢＣＨ）である、
請求項７に記載の方法。
【請求項１２】
前記ＳＲＳ構成情報は、上位レイヤシグナリングを使用して前記ＵＥに送信される、
請求項７に記載の方法。
【発明の詳細な説明】
【技術分野】
【０００１】
本発明は、一般に、ユーザ端末（ＵＥ）及びサウンディング参照信号（ＳＲＳ）送信方法に関する。
【背景技術】
【０００２】
無線通信システムにおいて、サウンディング参照信号（ＳＲＳ）は、基地局（ＢＳ）での上りリンクチャネル状態の推定に使用される。従来のロングタームエボリュエーション（ＬＴＥ）標準（リリース１３（Ｒｅｌ．１３）ＬＴＥなど）は、上りリンクチャネル状態に使用されるＳＲＳにビームフォーミングを適用するためのビームフォーミングＳＲＳスキームを明示的にサポートしていません。
【０００３】
一方、Ｎｅｗ  Ｒａｄｉｏ（ＮＲ）（第５世代（５Ｇ））アクセス技術は、ビームフォーミングをＳＲＳに適用して、ＳＲＳ送信のカバレッジを確保し、ＳＲＳ送信のためのアンテナポート（ＡＰ）の数を減らし、参照信号（ＲＳ）、及び上りリンクビーム（たとえば、ＳＲＳを使用したビームスイーピング）を決定する。ビームフォーミングをＳＲＳに適用するために、適切な物理信号が指定されることが要求される。例えば、ＳＲＳビームの選択はＲＳの状態に依存してもよい。
【先行技術文献】
【非特許文献】
【０００４】
【非特許文献１】３ＧＰＰ，  ＴＳ  ３６．２１１  Ｖ１４．１．０
【非特許文献２】３ＧＰＰ，  ＴＳ  ３６．２１３  Ｖ１４．１．０
【発明の概要】
【０００５】
本発明の１つ以上の実施形態は、基地局（ＢＳ）からの所定の参照信号の送信に使用される第１のリソースを示すサウンディング参照信号（ＳＲＳ）構成情報を受信する受信機を含むユーザ端末（ＵＥ）に関する。ＵＥは、第１のリソースである第２のリソースを使用してＳＲＳを送信する送信機を含む。
【０００６】
本発明の１つ以上の実施形態は、基地局（ＢＳ）からの所定の参照信号の送信に使用される第１のリソースを示すＳＲＳ構成情報をユーザ端末（ＵＥ）で受信することと、第１のリソースである第２のリソースを使用したＳＲＳをＵＥからＢＳへ送信することとを含む、無線通信システムにおけるサウンディング参照信号（ＳＲＳ）送信方法に関する。
【図面の簡単な説明】
【０００７】
【図１】本発明の１つ以上の実施形態に係る無線通信システムの構成を示す図である。
【図２】本発明の第１の実施例の１つ以上の実施形態に係るＳＲＳ送信のためのビーム選択方式の動作例を示すシーケンス図である。
【図３】本発明の第１の実施例の１つ以上の実施形態に係るＳＲＳ構成情報の構成を示す図である。
【図４】本発明の第１の変形例の１つ以上の実施形態に係るＳＲＳ送信の動作例を示すシーケンス図である。
【図５】本発明の第１の実施形態の１つ以上の実施形態に係るＣＳＩ構成情報の構成を示す図である。
【図６】本発明の１つ以上の実施形態に係るＢＳの概略構成を示す図である。
【図７】本発明の１つ以上の実施形態に係るＵＥの概略構成を示す図である。
【発明を実施するための形態】
【０００８】
以下、本発明の実施形態について図面を参照して詳細に説明する。本発明の実施形態では、本発明のより完全な理解を提供するために、多数の具体的な詳細が述べられている。しかし、これらの具体的な詳細なしで本発明を実施できることは、当業者には明らかであろう。他の例では、本発明を不明瞭にすることを避けるために、周知の特徴は詳細に説明されていない。
【０００９】
本発明の１つ以上の実施形態では、ビームは、リソース又は無線リソースと呼ばれることがある。
【００１０】
図１は、本発明の１つ以上の実施形態に係る無線通信システム１である。無線通信システム１は、ユーザ端末（ＵＥ）１０及び基地局（ＢＳ）２０を含む。無線通信システム１は、新しい無線（ＮＲ）システムであってもよい。無線通信システム１は、ここで説明される具体的な構成に限定されず、ＬＴＥ／ＬＴＥ−Ａｄｖａｎｃｅｄ（ＬＴＥ−Ａ）システムなどのあらゆるタイプの無線通信システムであってもよい。
【００１１】
ＢＳ２０は、ＢＳ２０のセル内のＵＥ１０と上りリンク（ＵＬ）及び下りリンク（ＤＬ）信号を通信することができる。ＤＬ及びＵＬ信号は、制御情報及びユーザデータを含んでいてもよい。ＢＳ２０は、新しい世代のノードＢ（ｇＮＢ）であってもよい。
【００１２】
ＢＳ２０は、アンテナ、隣接ＢＳ２０と通信するための通信インタフェース（例えば、Ｘ２インタフェース）、コアネットワークと通信するための通信インタフェース（例えば、Ｓ１インタフェース）、及び、ＵＥ１０との送信信号及び受信信号を処理するプロセッサ又は回路のようなＣＰＵ（中央処理装置）を含む。ＢＳ２０の動作は、メモリに格納されたデータ及びプログラムを処理又は実行するプロセッサによって実装されてもよい。ただし、ＢＳ２０は、上述のハードウェア構成に限定されず、当業者によって理解されるような他の適切なハードウェア構成によって実現されてもよい。無線通信システム１のより広いサービスエリアをカバーするように、多数のＢＳ２０が配置されてもよい。
【００１３】
ＵＥ１０は、多入力多出力（ＭＩＭＯ）技術を使用して、制御情報及びユーザデータを含むＤＬ及びＵＬ信号をＢＳ２０と通信することができる。ＵＥ１０は、移動局、スマートフォン、携帯電話、タブレット、モバイルルーター、又はウェアラブルデバイスなどの無線通信機能を有する情報処理装置であってもよい。無線通信システム１は、１つ以上のＵＥ１０を含んでいてもよい。
【００１４】
ＵＥ１０は、プロセッサなどのＣＰＵ、ＲＡＭ（ランダムアクセスメモリ）、フラッシュメモリ、及びＢＳ２０及びＵＥ１０との間で無線信号を送信／受信する無線通信装置を含む。例えば、以下に説明するＵＥ１０の動作は、ＣＰＵがメモリに格納されたデータ及びプログラムを処理又は実行することにより実装され得る。ただし、ＵＥ１０は、上述したハードウェア構成に限定されず、例えば、以下に説明する処理を実現する回路で構成されてもよい。
【００１５】
（第１の実施例）
以下、本発明の第１の実施例の実施形態について詳細に説明する。
【００１６】
本発明の１以上の実施形態では、図１に示すように、ステップＳ１で、ＢＳ２０は、ＳＲＳ構成情報を送信してもよい。
【００１７】
ＳＲＳ構成情報は、参照信号（ＲＳ）（所定のＲＳ）と送信されるＳＲＳとの関係の構成を示す。ＲＳは、チャネル状態情報参照信号（ＣＳＩ−ＲＳ）、同期信号ブロック（ＳＳＢ）／物理ブロードキャストチャネル（ＰＢＣＨ）、下りリンク復調参照信号（ＤＭ−ＲＳ）、上りリンクＤＭ−ＲＳ、又はＳＲＳなどの同じリンク内のＲＳであってもよい。例えば、ＳＲＳ構成情報は、ＳＲＳ送信に使用されるビームとして選択されるＲＳの送信のためのビームを示す。例えば、ＳＲＳ構成情報は、ＳＲＳのビーム形成ベクトルを決定するために使用されるＲＳを示す。例えば、ビームは無線チャネルの相反性に基づいて決定されてもよい。
【００１８】
ＵＥ１０がＳＲＳ構成情報を受信すると、ＵＥ１０は、ＳＲＳ構成情報に基づいてサウンディング参照信号（ＳＲＳ）の送信に使用されるビームを選択することができる。ステップＳ２において、ＵＥ１０は、選択されたビームを使用してＳＲＳをＢＳ２０に送信してもよい。
【００１９】
本発明の第１の例の１つ以上の実施形態によれば、ＳＲＳ送信のためのビーム選択に使用されるＲＳは、ＳＲＳ送信フレームワークを利用することにより指定されてもよい。
【００２０】
図２は、本発明の第１の例の１つ以上の実施形態に係るビーム選択方式の動作例を示すシーケンス図である。
【００２１】
図２に示すように、ステップＳ１１において、ＢＳ２０はＳＲＳ構成情報を送信してもよく、その後、ＵＥ１０は、そのＳＲＳ構成情報を受信してもよい。ＳＲＳ構成情報は、無線リソース制御シグナリングなどの上位レイヤシグナリングで、ＢＳ２０からＵＥ１０に送信されてもよい。ＳＲＳ構成情報は、ＳＲＳ送信のビーム選択に使用されるＲＳを指定するために使用される、新しく設計された情報である。ＳＲＳ構成情報は、ＲＳの送信のためのビームを示してもよい。
【００２２】
ステップＳ１２において、ＵＥ１０は、ＳＲＳ構成情報に基づいて、ＳＲＳ送信のためのビームを選択してもよい。例えば、ＵＥ１０は、ＲＳ送信のためのビームを、ＳＲＳ送信のためのビームとして選択してもよい。例えば、ＳＲＳ構成情報では、ＣＳＩ−ＲＳ、ＳＳＢ／ＰＢＣＨ、ＳＲＳ、又は上りリンク／下りリンクのＤＭ−ＲＳが指定されてもよい。
【００２３】
ステップＳ１３において、ＵＥ１０は、選択されたビームを使用してＳＲＳを送信してもよい。
【００２４】
例えば、ＵＥ１０は、ＲＳに基づいて、送信されるＳＲＳに適用されるプリコーダを決定してもよい。ステップＳ１３において、ＵＥ１０は、決定されたプリコーダを使用してプリコーディングされたＳＲＳを送信してもよい。
【００２５】
図３に示すように、ＳＲＳ構成情報は、「リソース設定」、「ＳＲＳのビーム選択のためのＲＳ指定情報」、及び「リンク」情報を含んでいてもよい。リソース設定（Ｍ＞＝１）には、信号品質の測定に使用されるＲＳ情報と干渉測定に使用されるＩＭＲ情報が含まれる。例えば、ＲＳ情報では、ＲＳタイプ、ＲＳ送信に使用されるＡＰの数、及び時間／周波数多重化位置が指定されてもよい。
【００２６】
したがって、本発明の第１の実施例の１以上の実施形態によれば、ＳＲＳ送信のためのビーム選択に使用されるＲＳ、及びＲＳの送信のためのビームを、ＳＲＳ送信フレームワークを利用することによって指定することができる。結果として、ＳＲＳ送信に使用されるビームを、ＳＲＳ送信に基づいて決定することができる。
【００２７】
（第１の変形例）
本発明の第１の変形例の１つ以上の実施形態において、ＳＲＳ送信に使用されるビームは、ＣＳＩ−ＲＳ（チャネル相反性を有する）に基づいて導出されたチャネル情報に基づいて決定され得る。図４は、本発明の第１変形例の１つ以上の実施形態に係るＳＲＳ送信の動作例を示すシーケンス図である。
【００２８】
図４に示すように、ステップＳ２１において、ＢＳ２０は、ＳＲＳ構成情報をＵＥ１０に送信してもよい。
【００２９】
ステップＳ２２において、ＢＳ２０は、ＣＳＩ−ＲＳ構成情報をＵＥ１０に送信してもよい。ＣＳＩ−ＲＳ構成情報の構成については、図５に示される。次いで、ステップＳ２３において、ＢＳ２０は、ＣＳＩ−ＲＳを送信してもよく、ＣＳＩ−ＲＳは、ビームを使用してＵＥ１０に送信されてもよい。
【００３０】
ステップＳ２４において、ＵＥ１０は、ＣＳＩ−ＲＳの受信に基づいてＳＲＳを送信してもよい。ＳＲＳは、ＣＳＩ−ＲＳ受信に使用されるビームを使用してプリコーディングされてもよい。同じビームフォーミングが、全てのＳＲＳ  ＡＰに適用されてもよい。別の例として、例えば、ＳＲＳビーム形成の参照として使用される複数のＲＳに基づいて、異なるビーム形成がＳＲＳ  ＡＰに適用されてもよい。
【００３１】
図５に示すように、ＣＳＩ構成情報は、「リソース設定」、「ＣＳＩ通知設定」、及び「リンク」情報を含む。
【００３２】
リソース設定（Ｍ＞＝１）は、信号品質の測定に使用されるＲＳ情報と、干渉測定に使用される干渉測定リソース（ＩＭＲ）情報とを含む。例えば、ＲＳ情報では、ＲＳタイプ、ＲＳ送信に使用されるＡＰの数、及び時間／周波数多重化位置が指定されてもよい。ＩＭＲ情報内に、ＩＭＲの時間／周波数多重化位置がある。
【００３３】
ＣＳＩ通知設定（Ｎ＞＝１）は、ＣＳＩ通知タイミング情報と、ＣＳＩ計算方法と、ランクインジケータ（ＲＩ）、プリコーディングマトリクスインジケータ（ＰＭＩ）、ＣＳＩ−ＲＳリソースインジケータ（ＣＲＩ）、及びチャネル品質インジケータ（ＣＱＩ）のフィードバックのオン／オフ情報とを含む。例えば、タイミング情報を通知するＣＳＩでは、「周期的」、「非周期的」、又は「半持続的」が指定されてもよい。例えば、ＣＳＩの計算方法は、測定の制限であってもよい。
【００３４】
リンク（Ｌ＞＝１）は、リソース設定とＣＳＩ通知設定の組み合わせを示す。図５の例では、リンク＃０、＃１、＃２、及び＃３に対応する４つのＲＳは、ＣＳＩ推定に使用される。
【００３５】
本発明の第１変形例の１つ以上の実施形態によれば、図５に示すように、ＣＳＩ通知設定は、ＳＲＳ送信のための情報を含む。例えば、ＣＳＩの通知の代わりにＳＲＳが送信される。ＵＥ１０は、ＣＳＩ通知設定に関連するリソース設定で示されるＲＳの受信品質に基づいて、ＳＲＳに使用されるビームを決定してもよい。
【００３６】
さらに、本発明の第１の変形例の１つ以上の実施形態によれば、ＣＳＩ構成情報は、ＳＲＳ送信情報を含んでいてもよい。ＳＲＳ送信情報は、ＳＲＳを正常に送信するために使用される情報である。例えば、ＳＲＳ送信情報は、ＳＲＳ送信のためのＡＰの数、送信タイミング、周波数情報、及びコム情報（comb  information）のうちの少なくとも１つを含んでいてもよい。ＳＲＳ送信情報は、ＳＲＳ送信の構成に関連付けられてもよく、ＳＲＳリソースインデックスとして指定されてもよい。
【００３７】
したがって、本発明の第１の変形例の１つ以上の実施形態によれば、ＳＲＳ送信のためのビーム選択に使用されるＲＳ及びＲＳの送信のためのビームを、ＣＳＩ取得フレームワークを利用することによって指定することができる。その結果、ＳＲＳ送信に使用されるビームを、ＣＳＩ構成情報に基づいて決定することができる。
【００３８】
（第１の実施例の別の例）
第１の例の別の例として、例えば、ＲＳが複数のＡＰで構成される場合、ＳＲＳ送信のためのビームは、複数のＡＰの一部を使用して決定されてもよい。例えば、ＳＲＳのビームは、ＡＰ番号が最小であるＡＰに関連するビームであってもよい。さらに、例えば、ＳＲＳ送信のためのビームは、ＡＰ番号が基地局２０（ｇＮＢ）によって指定されるＡＰに関連するビームであってもよい。
【００３９】
（第２の実施例）
以下、本発明の第２の実施例の実施形態について詳細に説明する。本発明の第２の実施例の１つ以上の実施形態によれば、ＳＲＳ送信タイミングは、ＲＳのトリガされたタイミングに基づいて決定されてもよい。
【００４０】
さらに、本発明の第２の実施例の１つ以上の実施形態によれば、ＳＲＳ送信タイミングは、ＲＳの受信タイミングに基づいて決定されてもよい。
【００４１】
例えば、本発明の第２の実施例の１つ以上の実施形態によれば、ＳＲＳは、ＲＳのサブフレーム内で多重化されてもよい（自己完結型フレーム構成）。
【００４２】
例えば、ＳＲＳは、ＵＥ１０がＣＳＩ−ＲＳを受信したときから所定のサブフレームで送信されてもよい。所定の間隔は、仕様によって定義された、又は構成可能な一定の値であってもよい。
【００４３】
（第３の実施例）
ＳＲＳのプリコーディング行列に柔軟性がある場合、ＢＳ２０でのビーム管理は複雑になる可能性がある。例えば、上りリンクビームに大きな柔軟性がある場合、ＢＳ２０において上りリンクの疑似コロケーション（ＱＣＬ）情報を制御することは非常に困難な可能性がある。
【００４４】
本発明の第３の実施例の１つ以上の実施形態によれば、ＳＲＳに適用することができるプリコーディングベクトルが制限されてもよい。例えば、プリコーディングベクトルは、所定のコードブック（例えば、ランク１コードブック）から選択されてもよい。さらに、ＢＳ２０は、適用されたコードブックをＵＥ１０に通知してもよい。制限は、例えばサブバンドなどの限られた周波数帯域、及び/又は、例えばサブフレームなどの限られた持続時間に適用されてもよい。例えば、ＵＥ１０は、制限されたタイミングのためにビームを変更することを許可されてもよい。例えば、ＵＥ１０は、１０ｍｓごとにビームを変更することを許可されてもよい。
【００４５】
本発明の第３の実施例の１つ以上の実施形態によれば、ＳＲＳに適用されるプリコーディング情報は、ＢＳ２０に通知されてもよい。例えば、ＵＥ１０がビームをどのように使用するかは、ＰＭＩ又はＱＣＬ情報として通知されてもよい。
【００４６】
本発明の第３の実施例の１つ以上の実施形態によれば、物理上りリンク共有チャネル（ＰＵＳＣＨ）に適用されるプリコーディング情報は、ＱＣＬ情報の通知とともにＳＲＳに送信される。
【００４７】
本発明の第３の実施例の１つ以上の実施形態によれば、ＳＲＳ送信に使用されるアンテナパネル（又はアンテナ）を制限することができる。制限は、例えばサブバンドなどの限られた周波数帯域、及び/又は、例えばサブフレームなどの限られた持続時間に適用されてもよい。例えば、ＵＥは、制限されたタイミングのためにアンテナパネルを変更することが許可されてもよい。例えば、ＵＥは、１０ミリ秒ごとにアンテナパネルを変更することが許可されてもよい。
【００４８】
さらに、本発明の第３の実施例の１つ以上の実施形態による技術は、上りリンクＲＳ及び上りリンク物理チャネルに適用されてもよい。
【００４９】
（基地局の構成）
本発明の１つ以上の実施形態に係るＢＳ２０について、図６を参照して以下に説明する。図６は、本発明の１つ以上の実施形態に係るＢＳ２０の概略構成を示す図である。ＢＳ２０は、複数のアンテナ（アンテナ素子群）２０１、増幅器２０２、トランシーバ（送信機／受信機）２０３、ベースバンド信号プロセッサ２０４、コールプロセッサ２０５、及び伝送路インタフェース２０６を含んでいてもよい。
【００５０】
ＢＳ２０からＵＥ２０にＤＬで送信されるユーザデータは、コアネットワーク３０から伝送路インタフェース２０６を介してベースバンド信号プロセッサ２０４に入力される。
【００５１】
ベースバンド信号プロセッサ２０４では、信号は、パケットデータ収束プロトコル（ＰＤＣＰ）レイヤ処理、ユーザデータの分割及び結合などの無線リンク制御（ＲＬＣ）レイヤ送信処理及びＲＬＣ再送信制御送信処理、例えばＨＡＲＱ送信処理を含むメディアアクセス制御（ＭＡＣ）再送信制御、スケジューリング、搬送フォーマット選択、チャネルコーディング、逆高速フーリエ変換（ＩＦＦＴ）処理、及びプリコーディング処理が行われる。そして、得られた信号は、各トランシーバ２０３に転送される。ＤＬ制御チャネルの信号には、チャネル符号化、逆高速フーリエ変換などの送信処理が行われ、得られた信号は、各トランシーバ２０３に送信される。
【００５２】
ベースバンド信号プロセッサ２０４は、各ＵＥ１０に、セル内の通信のための制御情報（システム情報）を上位レイヤシグナリング（例えば、ＲＲＣシグナリング及びブロードキャストチャネル）によって通知する。セル内の通信のための情報には、例えば、ＵＬ又はＤＬシステム帯域幅が含まれる。
【００５３】
各トランシーバ２０３において、アンテナごとにプリコーディングされ、ベースバンド信号プロセッサ２０４から出力されるベースバンド信号は、無線周波数帯域への周波数変換処理が行われる。増幅器２０２は、周波数変換された無線周波数信号を増幅し、得られた信号はアンテナ２０１から送信される。
【００５４】
ＵＥ１０からＢＳ２０にＵＬで送信されるデータについては、無線周波数信号が各アンテナ２０１で受信され、増幅器２０２で増幅され、周波数変換され、トランシーバ２０３でベースバンド信号に変換され、ベースバンド信号プロセッサ２０４に入力される。
【００５５】
ベースバンド信号プロセッサ２０４は、受信したベースバンド信号に含まれるユーザデータに対して、ＦＦＴ処理、ＩＤＦＴ処理、誤り訂正復号、ＭＡＣ再送制御受信処理、ＲＬＣレイヤ及びＰＤＣＰレイヤ受信処理を行う。そして、得られた信号は、伝送路インタフェース２０６を介してコアネットワーク３０に転送される。コールプロセッサ２０５は、通信チャネルの設定や解放などのコール処理を行い、ＢＳ２０の状態を管理し、無線リソースを管理する。
【００５６】
（ユーザ端末の構成）
本発明の１つ以上の実施形態に係るＵＥ１０を、図７を参照して以下に説明する。図７は、本発明の１つ以上の実施形態に係るＵＥ１０の概略構成である。ＵＥ１０は、複数のＵＥアンテナ１０１、増幅器１０２、トランシーバ（送信機／受信機）１０３１を含む回路１０３、コントローラ１０４、及びアプリケーション１０５を有する。
【００５７】
ＤＬについては、ＵＥアンテナ１０１で受信された無線周波数信号は、それぞれの増幅器１０２で増幅され、トランシーバ１０３１でベースバンド信号に周波数変換される。これらのベースバンド信号は、ＦＦＴ処理、誤り訂正復号、送信制御などの受信処理がコントローラ１０４で行われる。ＤＬユーザデータは、アプリケーション１０５に転送される。アプリケーション１０５は、物理レイヤ及びＭＡＣレイヤよりも上位のレイヤに関連する処理を実行する。下りリンクデータでは、ブロードキャスト情報もアプリケーション１０５に転送される。
【００５８】
一方、ＵＬユーザデータは、アプリケーション１０５からコントローラ１０４に入力される。コントローラ１０４では、再送制御（ハイブリッドＡＲＱ）送信処理、チャネルコーディング、プリコーディング、ＤＦＴ処理、ＩＦＦＴ処理などが行われ、得られた信号は、各トランシーバ１０３１に転送される。トランシーバ１０３１では、コントローラ１０４から出力されたベースバンド信号が無線周波数帯域に変換される。その後、周波数変換された無線周波数信号は増幅器１０２で増幅され、その後、アンテナ１０１から送信される。
【００５９】
（他の実施例）
本発明の１つ以上の実施形態は、上りリンク及び下りリンクのそれぞれに独立して使用されてもよい。本発明の１つ以上の実施形態は、上りリンクと下りリンクの両方に共通して使用されてもよい。
【００６０】
本開示は、ＮＲに基づくチャネル及びシグナリング方式の例を主に説明したが、本発明はそれに限定されない。本発明の１つ以上の実施形態は、ＬＴＥ／ＬＴＥ−Ａと同じ機能を有する別のチャネル及びシグナリング方式、及び、新しく定義されたチャネル及びシグナリング方式に適用してもよい。
【００６１】
本開示は、主に、ＣＳＩ−ＲＳ及びＳＲＳに基づくチャネル推定及びＣＳＩフィードバック方式の例を説明したが、本発明はそれに限定されない。本発明の１つ以上の実施形態は、別の同期信号、参照信号、及びＣＳＩ−ＲＳ、同期信号（ＳＳ）、測定ＲＳ（ＭＲＳ）、モビリティＲＳ（ＭＲＳ）、及びビームＲＳ（ＢＲＳ）などの物理チャネルに適用してもよい。例えば、ＰＵＳＣＨ及び／又は上りリンクＤＭ−ＲＳのビームフォーミングは、関連するＲＳ、例えばＣＳＩ−ＲＳで決定され得る。例えば、ＰＤＳＣＨ及び／又は下りリンクＤＭ−ＲＳのビームフォーミングは、関連するＲＳ、例えばＳＲＳで決定され得る。例えば、ＣＳＩ−ＲＳのビームフォーミングは、関連するＲＳ、例えばＳＲＳで決定され得る。
【００６２】
本開示は、主に、様々なシグナリング方法の例を説明したが、本発明の１つ以上の実施形態によるシグナリングは、明示的又は暗黙的に実行されてもよい。
【００６３】
本開示は、主に、様々なシグナリング方法の例を説明したが、本発明の１つ以上の実施形態によるシグナリングは、ＲＲＣシグナリングなどの上位レイヤシグナリング及び／又は下りリンク制御情報、ＤＣＩ及びＭＡＣ制御要素（ＣＥ）などの下位レイヤシグナリングであってもよい。さらに、本発明の１つ以上の実施形態によるシグナリングは、マスター情報ブロック（ＭＩＢ）及び／又はシステム情報ブロック（ＳＩＢ）を使用してもよい。例えば、ＲＲＣ、ＤＣＩ、及びＭＡＣ  ＣＥのうちの少なくとも２つは、本発明の１つ以上の実施形態によるシグナリングとして組み合わせて使用されてもよい。
【００６４】
本開示では、ビームフォーミングされたＲＳ（ビームを使用するＲＳ送信）の例を説明したが、物理信号／チャネルがビームフォーミングされるかどうかは、ＵＥにとって透過的であってもよい。ビームフォーミングされたＲＳ及びビームフォーミングされた信号は、それぞれＲＳ及び信号と呼ばれてもよい。さらに、ビームフォーミングされたＲＳは、ＲＳリソースと呼ばれてもよい。さらに、ビーム選択はリソース選択と呼ばれてもよい。さらに、ビームインデックスは、リソースインデックス（インジケータ）又はアンテナポートインデックスと呼ばれてもよい。
【００６５】
本発明の１つ以上の実施形態によるＵＥのアンテナは、１次元アンテナ、平面アンテナ、及び所定の３次元アンテナを含むＵＥに適用してもよい。
【００６６】
本発明の１つ以上の実施形態において、本開示におけるリソースブロック（ＲＢ）及びサブキャリアは、互いに置き換えられてもよい。サブフレーム、シンボル、及びスロットは、互いに置き換えられてもよい。
【００６７】
上記の実施例及び変形例は互いに組み合わされてもよく、これらの例の様々な特徴は様々な組み合わせで互いに組み合わされてもよい。本発明は、ここで開示された具体的な組み合わせに限定されない。
【００６８】
本開示は、限られた数の実施形態のみに関して説明されたが、本開示の利益を有する当業者は、本発明の範囲から逸脱することなく他の様々な実施形態が考案されてもよいことを認識するだろう。したがって、本発明の範囲は、添付の特許請求の範囲によってのみ制限されるべきである。
【符号の説明】
【００６９】
１        無線通信システム
１０      ユーザ端末（ＵＥ）
１０１    アンテナ
１０２    増幅器
１０３    回路
１０３１  トランシーバ（送信機／受信機）
１０４    コントローラ
１０５    アプリケーション
１０６    スイッチ
２０      基地局（ＢＳ）
２００１  ベースバンドプリコーダー
２００２  Ｄ／Ａコンバーター（ＤＡＣ）
２００３  アナログプリコーダ（位相及び振幅コントローラ）
２０１    アンテナ素子グループ（アンテナ）
２０１１  アンテナ素子
２０２    増幅器
２０３    トランシーバ（送信機／受信機）
２０４    ベースバンド信号プロセッサ
２０５    コールプロセッサ
２０６    伝送路インタフェース
【図１】
2020507991.tif 000003
【図２】
2020507991.tif 000004
【図３】
2020507991.tif 000005
【図４】
2020507991.tif 000006
【図５】
2020507991.tif 000007
【図６】
2020507991.tif 000008
【図７】
2020507991.tif 000009
【国際調査報告】
2020507991.tif 000010
2020507991.tif 000011